(57)【要約】【課題】施設に設置された設備システムの制御のためのユニットに関する情報を確認できる制御ユニットを提供する。【解決手段】制御ユニット１０は、施設に設置された１以上の設備システムを制御する制御部１６と、制御ユニット１０に関する情報および制御ユニット１０に接続される他ユニットに関する情報の少なくとも一方を取得する取得部１７と、取得部１７が取得した情報を報知または所定の出力先に出力する出力部１８と、を備える。【選択図】図２
2020048090.tif 000002
【特許請求の範囲】
【請求項１】
制御ユニットであって、
施設に設置された１以上の設備システムを制御する制御部と、
前記制御ユニットに関する情報および前記制御ユニットに接続される他ユニットに関する情報の少なくとも一方を取得する取得部と、
前記取得部が取得した情報を報知または所定の出力先に出力する出力部と、を備える
制御ユニット。
【請求項２】
前記取得部は、前記他ユニットに関する情報を前記他ユニットから取得する
請求項１に記載の制御ユニット。
【請求項３】
前記制御ユニットに関する情報は、前記制御ユニットの温度に関する情報を含む
請求項１または２に記載の制御ユニット。
【請求項４】
前記他ユニットは、前記制御ユニットに電力を供給する電源ユニットを含み、
前記他ユニットに関する情報は、前記電源ユニットに関する情報を含む
請求項１〜３のいずれか１項に記載の制御ユニット。
【請求項５】
前記電源ユニットに関する情報は、前記電源ユニットの電圧値に関する情報、前記電源ユニットの電流値に関する情報および前記電源ユニットの温度に関する情報の少なくとも１つを含む
請求項４に記載の制御ユニット。
【請求項６】
前記電源ユニットに関する情報は、前記電源ユニットの寿命に関する情報を含む
請求項４または５に記載の制御ユニット。
【請求項７】
前記他ユニットは、前記設備システムの通信を制御する通信ユニットを含み、
前記他ユニットに関する情報は、前記通信ユニットが通信に使用する電流値および電圧値の少なくとも一方を含む
請求項１〜６のいずれか１項に記載の制御ユニット。
【請求項８】
前記制御ユニットに関する情報および前記他ユニットに関する情報の少なくとも一方は、前記制御ユニットの異常に関する情報および前記他ユニットの異常に関する情報の少なくとも一方を含む
請求項１〜７のいずれか１項に記載の制御ユニット。
【請求項９】
前記制御ユニットの異常に関する情報および前記他ユニットの異常に関する情報の少なくとも一方は、異常から復旧したことを示す復旧済みの情報を含む
請求項８に記載の制御ユニット。
【請求項１０】
請求項１〜９のいずれか１項に記載の制御ユニットと、
前記制御ユニットに電力を供給する電源ユニットと、を備える
制御システム。
【請求項１１】
請求項１〜９のいずれか１項に記載の制御ユニットと、
前記設備システムの通信を制御する通信ユニットと、を備える
制御システム。
【請求項１２】
請求項１〜９のいずれか１項に記載の制御ユニットと、
前記設備システムの通信を制御する通信ユニットと、
前記制御ユニットに電力を供給する電源ユニットと、を備える
制御システム。
【発明の詳細な説明】
【技術分野】
【０００１】
本発明は、制御ユニットおよび制御システムに関する。
【背景技術】
【０００２】
従来、大規模な施設には、照明器具、当該照明器具のオン、オフおよび調光を行うスイッチ、リレー端末器および調光端末器等の照明器具に関する設備システムが数多く設置されており、このような照明器具に関する設備システムを遠隔から１つの制御装置が中心となって監視および制御する遠隔監視制御システムが開示されている（例えば、特許文献１）。このようなシステムでは、数多くの設備システムの監視および制御を１つの制御装置によって容易に行うことができる。
【先行技術文献】
【特許文献】
【０００３】
【特許文献１】特開２００１−３３８７７２号公報
【発明の概要】
【発明が解決しようとする課題】
【０００４】
特許文献１に開示されたようなシステム（制御システムとも呼ぶ）において、制御システムに含まれるユニットに関する情報を施設の管理者またはメンテナンス業者等（以下、管理者等とも呼ぶ）が確認できるようにすることが要望されている。制御システムに含まれるユニットは、施設に設置された設備システムの制御をするためのものであり、当該ユニットに関する情報を確認できることで、当該ユニットを用いて制御される設備システムの運用の円滑を図ることができるためである。
【０００５】
そこで、本発明は、施設に設置された設備システムの制御のためのユニットに関する情報を確認できる制御ユニット等を提供することを目的とする。
【課題を解決するための手段】
【０００６】
本発明の一形態に係る制御ユニットは、制御ユニットであって、施設に設置された１以上の設備システムを制御する制御部と、前記制御ユニットに関する情報および前記制御ユニットに接続される他ユニットに関する情報の少なくとも一方を取得する取得部と、前記取得部が取得した情報を報知または所定の出力先に出力する出力部と、を備える。
【０００７】
本発明の一形態に係る制御システムは、上記の制御ユニットと、前記制御ユニットに電力を供給する電源ユニットと、を備える。
【０００８】
本発明の一形態に係る制御システムは、上記の制御ユニットと、前記設備システムの通信を制御する通信ユニットと、を備える。
【０００９】
本発明の一形態に係る制御システムは、上記の制御ユニットと、前記設備システムの通信を制御する通信ユニットと、前記制御ユニットに電力を供給する電源ユニットと、を備える。
【発明の効果】
【００１０】
本発明の一態様に係る制御ユニット等によれば、施設に設置された設備システムの制御のためのユニットに関する情報を確認できる。
【図面の簡単な説明】
【００１１】
【図１】図１は、実施の形態に係る制御システムの一例を示す図である。
【図２】図２は、実施の形態に係る制御ユニットの一例を示す構成図である。
【図３】図３は、実施の形態に係る電源ユニットの一例を示す構成図である。
【図４】図４は、実施の形態に係る通信ユニットの一例を示す構成図である。
【図５】図５は、ユニットに関する情報の出力例を示す図である。
【発明を実施するための形態】
【００１２】
以下、実施の形態について、図面を参照しながら説明する。ここで示す実施の形態は、いずれも本発明の一具体例を示すものである。従って、以下の実施の形態で示される数値、形状、構成要素、構成要素の配置および接続形態、並びに、ステップ（工程）およびステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１３】
（実施の形態）
以下、実施の形態について図１から図５を用いて説明する。
【００１４】
［制御システムの全体構成］
まず、実施の形態に係る制御システム１の全体構成について図１を用いて説明する。
【００１５】
図１は、実施の形態に係る制御システム１の一例を示す図である。図１には、制御システム１の他に、管理システム４０および各種設備システムが示されている。なお、管理システム４０および各種設備システムが制御システム１に含まれていてもよい。図１において、構成要素間を繋ぐ実線は信号の送受信が行われる通信線を示し、構成要素間を繋ぐ破線は電力の供給が行われる電力線を示す。
【００１６】
制御システム１は、施設に設けられた設備システムを制御するためのシステムであり、当該施設として例えば数フロアからなる大規模な施設（ビル等）に適用される。なお、制御システム１は、ビル等に限らず、戸建て、アパート等の集合住宅、または、工場等の非住宅の施設に適用されてもよい。さらには、制御システム１は、複数の施設にわたって適用されてもよい。
【００１７】
制御システム１は、制御ユニット１０および制御ユニット１０に接続される他ユニットを備える。当該他ユニットは、電源ユニット２０、通信ユニット、ならびに、制御ユニット１０、電源ユニット２０および通信ユニットに関連する機器を含む。本実施の形態では、当該他ユニットは、複数の通信ユニット３０ａ〜３０ｃを含む。ここでは、３つの通信ユニット３０ａ〜３０ｃを示して説明するが、施設の規模等に応じて、当該他ユニットは、４つ以上（例えば１００個等）の通信ユニットを含み得る。なお、他ユニットに含まれる通信ユニットを総称して通信ユニット３０とも呼ぶ。
【００１８】
制御ユニット１０は、施設に設置された１以上の設備システムを制御するための装置であり、制御システム１は、例えば１つの制御ユニット１０を備える。なお、制御ユニット１０は、設備システムの制御だけでなく、電源ユニット２０および通信ユニット３０の管理および監視等も行う。具体的には、制御ユニット１０は、電源ユニット２０および通信ユニット３０が正常に動作しているかを監視したり、電源ユニット２０および通信ユニット３０の交換時期の管理を行ったり、その他、制御ユニット１０、電源ユニット２０および通信ユニット３０に関連する機器の管理を行ったりする。
【００１９】
制御ユニット１０は、電源ユニット２０および通信ユニット３０と別体に設けられる。例えば、制御ユニット１０は制御ユニット１０として１つの筺体を有し、電源ユニット２０は電源ユニット２０として１つの筺体を有し、通信ユニット３０は通信ユニット３０として１つの筺体を有することで、それぞれが別体に設けられる。
【００２０】
詳細は後述する図２で説明するが、制御ユニット１０は、電源ユニット２０、通信ユニット３０、管理システム４０および設備システムと接続または通信するためのインタフェースを備える。当該インタフェースは、例えば、コネクタ、通信回路またはアンテナ等により実現され、制御ユニット１０は、このようなインタフェースを介して設備システムの制御、ならびに、電源ユニット２０および通信ユニット３０の管理および監視等を行う。
【００２１】
電源ユニット２０は、制御ユニット１０に接続される他ユニットの一例であり、制御ユニット１０に電力を供給する装置である。なお、本実施の形態では、電源ユニット２０は、通信ユニット３０にも電力を供給する。電源ユニット２０は、例えば、交流電力を直流電力に変換するＡＣ／ＤＣコンバータ等を有する。例えば、電源ユニット２０は、交流の商用電源（図示せず）に接続され、商用電源の交流電力を直流電力に変換する。電源ユニット２０の詳細については、後述する図３で説明する。
【００２２】
通信ユニット３０は、制御ユニット１０に接続される他ユニットの一例であり、設備システムの通信を制御する装置である。具体的には、通信ユニット３０は、設備システムと制御ユニット１０との通信のための装置である。例えば、大規模な施設には様々なメーカーの設備が設けられており、メーカーごとに異なる通信規格が用いられる場合がある。また、大規模な施設には、様々な種類（例えば、照明器具、空調機器等の種類）の設備が設けられており、種類ごとに異なる通信規格が用いられる場合がある。例えば、ＲＳ４８５、ＲＳ２３２Ｃ、ＢＡＣｎｅｔ（Ｂｕｉｌｄｉｎｇ  Ａｕｔｏｍａｔｉｏｎ  ａｎｄ  Ｃｏｎｔｒｏｌ  Ｎｅｔｗｏｒｋｉｎｇ  ｐｒｏｔｏｃｏｌ）、その他メーカー独自の通信規格が各設備システムに用いられ得る。
【００２３】
例えば、通信ユニット３０ａおよび３０ｂに接続される設備システムとして、スイッチ５２、照明制御端末５３およびリレー５４、ならびに、スイッチ５５、照明制御端末５６およびリレー５７には、メーカー独自の通信規格が用いられる。また、通信ユニット３０ａおよび３０ｂと制御ユニット１０との通信には、例えばＲＳ４２２が用いられる。つまり、通信ユニット３０ａおよび３０ｂは、制御ユニット１０と通信ユニット３０ａおよび３０ｂとの間の通信規格（ＲＳ４２２）、および、設備システムと通信ユニット３０ａおよび３０ｂとの間の通信規格（メーカー独自の通信規格）のように、互いに通信規格の異なるネットワークを接続するためのネットワークノードとしての機能を有する。
【００２４】
また、例えば、通信ユニット３０ｃに接続される設備システムとして、空調制御端末５８にはＲＳ４８５が用いられる。また、通信ユニット３０ｃと制御ユニット１０との通信には、例えばイーサネット（登録商標）が用いられる。つまり、通信ユニット３０ｃは、制御ユニット１０と通信ユニット３０ｃとの間の通信規格（イーサネット（登録商標））、および、設備システムと通信ユニット３０ｃとの間の通信規格（ＲＳ４８５）のように、互いに通信規格の異なるネットワークを接続するためのネットワークノードとしての機能を有する。
【００２５】
また、例えば、通信ユニット３０は、電圧の変化を用いた通信方式により、設備システムと制御ユニット１０との通信を行う。電圧の変化とは、例えば、電圧のＨｉｇｈおよびＬｏｗの経時的変化である。このような通信方式は一般的なものであるため説明は省略する。なお、通信ユニット３０は、電流および電圧の両方の変化を用いた通信方式により、上記通信を行ってもよい。この場合には、情報の伝送および電力の供給の両方を１つの通信線（電力線）により同時に行うことができる。
【００２６】
また、例えば、通信ユニット３０は、制御ユニット１０を介さずに電源ユニット２０から電力供給を受けるように構成されている。具体的には、図１の電源ユニット２０と制御ユニット１０および通信ユニット３０とを繋ぐ破線で示されるように、制御ユニット１０および通信ユニット３０ａ〜３０ｃへそれぞれ異なる電力線を介して、電源ユニット２０において変換された直流電力が供給される。
【００２７】
例えば、通信ユニット３０ａは、施設における特定の領域（第１領域と呼ぶ）に設けられた複数の照明器具を制御ユニット１０に制御させるために、制御ユニット１０と第１領域における設備システムとの通信の中継を行う。例えば、通信ユニット３０ｂは、施設における特定の領域（第２領域と呼ぶ）に設けられた複数の照明器具を制御ユニット１０に制御させるために、制御ユニット１０と第２領域における設備システムとの通信の中継を行う。例えば、通信ユニット３０ｃは、施設における特定の領域（第３領域と呼ぶ）に設けられた複数の空調機器を制御ユニット１０に制御させるために、制御ユニット１０と第３領域における設備システムとの通信の中継を行う。
【００２８】
なお、第１領域または第２領域と第３領域とは少なくとも一部が重複していてもよい。また、第１領域、第２領域および第３領域は、それぞれ複数のフロアにわたる領域であってもよい。
【００２９】
通信ユニット３０の詳細については、後述する図４で説明する。
【００３０】
設備システムは、施設に設けられる照明器具もしくは空調機器等に関連する設備、または、施設に設けられる設備の電力計測に関連する機器等である。ここでは、設備システムの一例として、電力計測装置５０、空調制御端末５１および５８、スイッチ５２および５５、照明制御端末５３および５６、ならびに、リレー５４および５７を示している。
【００３１】
電力計測装置５０は、施設に設けられる各設備の消費電力を計測する装置であり、例えば、電力計測機能を有する分電盤等である。電力計測装置５０は、定期的に、もしくは、制御ユニット１０からの要求に応じて、計測した電力情報を制御ユニット１０に送信する。
【００３２】
空調制御端末５１および５８は、施設に設けられる空調機器を制御するためのコントローラであり、空調機器と有線または無線により接続される。例えば、空調制御端末５１は、施設における特定のフロア（第４領域と呼ぶ）に設けられた複数（例えば数１０台）の空調機器を制御する。なお、第１領域または第２領域と第４領域とは少なくとも一部が重複していてもよい。また、第４領域は、複数のフロアにわたる領域であってもよい。また、例えば、空調制御端末５８は、第３領域に設けられた複数（例えば数１０台）の空調機器を制御する。
【００３３】
スイッチ５２および５５は、施設に設けられる照明器具を制御するためのスイッチである。例えば、スイッチ５２は、第１領域に設けられた複数（例えば数１００台）の照明器具を制御する。また、例えば、スイッチ５５は、第２領域に設けられた複数（例えば数１００台）の照明器具を制御する。例えば、施設を利用するユーザがスイッチ５２および５５を操作することで、施設に設けられる照明器具が制御される。例えば、スイッチ５２および５５は、それぞれ複数のボタンを有し、各ボタンには特定の照明器具が対応付けられている。例えば、ユーザが特定の照明器具が対応付けられたボタンを操作することで、当該特定の照明器具のオン、オフまたは調光制御が可能となる。
【００３４】
照明制御端末５３および５６は、施設に設けられる照明器具を制御するためのコントローラであり、照明器具と有線または無線により接続される。例えば、照明制御端末５３は、第１領域に設けられた複数の照明器具を制御する。また、例えば、照明制御端末５６は、第２領域に設けられた複数の照明器具を制御する。例えば、照明制御端末５３および５６は、スケジュールに応じて照明器具を制御する。また、例えば、照明制御端末５３および５６は、施設に設けられたセンサ（人感センサ等）のセンシング結果に応じて照明器具を制御する。例えば、照明制御端末５３および５６は、特定のセンサによる人が存在することを示すセンシング結果に応じて、当該特定のセンサに対応する照明器具をオンし、また、特定のセンサによる人が存在しないことを示すセンシング結果に応じて、当該特定のセンサに対応する照明器具をオフする。
【００３５】
リレー５４および５７は、施設に設けられる照明器具への電力供給のオンおよびオフを切り替えるスイッチである。例えば、リレー５４は、第１領域に設けられた複数の照明器具への電力供給のオンおよびオフを切り替える。また、例えば、リレー５７は、第２領域に設けられた複数の照明器具への電力供給のオンおよびオフを切り替える。リレー５４および５７は、制御ユニット１０からの指示に応じて照明器具への電力供給のオンおよびオフを切り替える。
【００３６】
通信ユニット３０ａには、スイッチ５２、照明制御端末５３およびリレー５４が接続され、スイッチ５２、照明制御端末５３およびリレー５４によって、第１領域における複数の照明器具が制御される。なお、通信ユニット３０ａには、複数のスイッチ５２、複数の照明制御端末５３または複数のリレー５４が接続されてもよく、また、その他の設備が接続されてもよい。例えば、スイッチ５２が操作されることで、通信ユニット３０ａにスイッチ５２への操作内容（例えば、照明器具のオン、オフまたは調光制御等の操作内容）に応じた操作情報が送信され、通信ユニット３０ａは当該操作情報を制御ユニット１０に送信する。そして、制御ユニット１０は、通信ユニット３０ａおよび照明制御端末５３を介して第１領域における操作された照明器具を当該操作情報に基づいて制御する。また、制御ユニット１０は、予め定められたスケジュールに応じて、通信ユニット３０ａおよび照明制御端末５３を介して第１領域に設けられた複数の照明器具のオン、オフまたは調光制御等を行う。また、照明制御端末５３は、第１領域に設けられたセンサのセンシング結果を受信し、通信ユニット３０ａを介して制御ユニット１０に当該センシング結果を送信する。そして、制御ユニット１０は、通信ユニット３０ａおよび照明制御端末５３を介して第１領域に設けられた複数の照明器具を当該センシング結果に基づいて制御する。
【００３７】
通信ユニット３０ｂには、スイッチ５５、照明制御端末５６およびリレー５７が接続され、スイッチ５５、照明制御端末５６およびリレー５７によって、第２領域における複数の照明器具が制御される。なお、通信ユニット３０ｂには、複数のスイッチ５５、複数の照明制御端末５６または複数のリレー５７が接続されてもよく、また、その他の設備が接続されてもよい。例えば、スイッチ５５が操作されることで、通信ユニット３０ｂにスイッチ５５への操作内容に応じた操作情報が送信され、通信ユニット３０ｂは当該操作情報を制御ユニット１０に送信する。そして、制御ユニット１０は、通信ユニット３０ｂおよび照明制御端末５６を介して第２領域における操作された照明器具を当該操作情報に基づいて制御する。また、制御ユニット１０は、予め定められたスケジュールに応じて、通信ユニット３０ｂおよび照明制御端末５６を介して第２領域に設けられた複数の照明器具のオン、オフまたは調光制御等を行う。また、照明制御端末５６は、第２領域に設けられたセンサのセンシング結果を受信し、通信ユニット３０ｂを介して制御ユニット１０に当該センシング結果を送信する。そして、制御ユニット１０は、通信ユニット３０ｂおよび照明制御端末５６を介して第２領域に設けられた複数の照明器具を当該センシング結果に基づいて制御する。
【００３８】
通信ユニット３０ｃには、空調制御端末５８が接続され、空調制御端末５８によって、第３領域における複数の空調機器が制御される。例えば、各空調機器を個別に制御するためのリモートコントローラまたはスイッチ等が操作されることで、空調制御端末５８に操作内容（例えば、空調機器のオン、オフまたは設定温度の変更等の操作内容）に応じた操作情報が送信され、空調制御端末５８は、通信ユニット３０ｃを介して制御ユニット１０に当該操作情報を送信する。そして、制御ユニット１０は、通信ユニット３０ｃおよび空調制御端末５８を介して第３領域に設けられた複数の空調機器を当該操作情報に基づいて制御する。
【００３９】
なお、空調制御端末５１については、制御ユニット１０と空調制御端末５１との間の通信に通信ユニット３０を介していないこと以外は空調制御端末５８と同様の制御が行われる。
【００４０】
管理システム４０は、例えば、制御ユニット１０が制御する設備システムが設けられる施設の管理室等に設置されたコンピュータまたはサーバ装置等である。管理システム４０は、後述する制御ユニット１０が備える出力部１８が出力する情報の出力先の一例である。
【００４１】
例えば、管理システム４０は、制御ユニット１０を介して電力計測装置５０が計測した電力情報を取得する。これにより、施設の管理者等は、施設の電力の使用状況等を管理システム４０によって確認できる。
【００４２】
また、例えば、管理システム４０は、制御ユニット１０に対して、制御ユニット１０に関する情報または他ユニットに関する情報を管理システム４０へ送信させるように指示する。これにより、施設の管理者等は、任意のタイミングでこれらの情報を確認できる。
【００４３】
また、施設の管理者等は、施設に設けられた空調機器または照明器具に対して、特殊な動作をさせたいときに、管理システム４０から制御ユニット１０に対して当該特殊な動作をさせるように制御することができる。例えば、第１領域において使用しない照明器具がある場合に当該照明器具への電力供給をオフしたいときには、管理システム４０から制御ユニット１０に対してリレー５４を制御させて、当該照明器具への電力供給をオフすることができる。
【００４４】
［制御ユニットの構成］
次に、制御ユニット１０の構成について、図２を用いて説明する。
【００４５】
図２は、実施の形態に係る制御ユニット１０の一例を示す構成図である。
【００４６】
制御ユニット１０は、第１ＩＦ（インタフェース）、第２ＩＦ１２、第３ＩＦ、第４ＩＦ１４、第５ＩＦ１５、制御部１６、取得部１７、出力部１８およびメモリ１９を備える。本実施の形態では、制御ユニット１０は、複数の第１ＩＦ１１ａ〜１１ｎおよび複数の第３ＩＦ１３ａ〜１３ｎを備える。なお、制御ユニット１０が備える第１ＩＦを総称して第１ＩＦ１１とも呼び、第３ＩＦを総称して第３ＩＦ１３とも呼ぶ。なお、第１ＩＦ１１ａ〜１１ｎのように、符号の末尾にａからｎを用いているのは、第１ＩＦ１１がａからｎまでの１４台存在していることを示しているわけではなく、２以上の任意の数の第１ＩＦ１１が存在していることを示している。第３ＩＦ１３および後述する図３で説明する電源ユニット２０が備える電源ＩＦについても同様である。
【００４７】
制御ユニット１０は、プロセッサ（マイクロプロセッサ）、メモリ１９、通信用または電力供給用のインタフェースとして第１ＩＦ１１、第２ＩＦ１２、第３ＩＦ１３、第４ＩＦ１４および第５ＩＦ１５を含むコンピュータである。メモリ１９は、ＲＯＭ、ＲＡＭ等であり、プロセッサにより実行される制御プログラム（コンピュータプログラム）を記憶することができる。なお、制御ユニット１０は、１つのメモリを有していてもよく、また、複数のメモリを有していてもよく、ここでは、１つまたは複数のメモリをメモリ１９として示している。
【００４８】
プロセッサが制御プログラムに従って動作することにより、プロセッサが有する機能構成要素である制御部１６、取得部１７および出力部１８が実現される。また、プロセッサが制御プログラムに従って動作することにより、各インタフェース（第１ＩＦ１１、第２ＩＦ１２、第３ＩＦ１３、第４ＩＦ１４および第５ＩＦ１５）を制御する処理が行われる。
【００４９】
第１ＩＦ１１は、設備システムと制御ユニット１０との通信のための通信ユニット３０と接続されるインタフェースである。第１ＩＦ１１は、例えば、通信回路およびコネクタ等により実現される。第１ＩＦ１１のコネクタには、例えば、有線ケーブルが接続される。例えば、通信ユニット３０ａおよび３０ｂと接続される第１ＩＦ１１の通信回路およびコネクタは、ＲＳ４２２に対応したものとなっている。また、例えば、通信ユニット３０ｃと接続される第１ＩＦ１１の通信回路およびコネクタは、イーサネット（登録商標）に対応したものとなっている。なお、複数の第１ＩＦ１１ａ〜１１ｎには、その他の通信規格に対応したインタフェースが含まれていてもよい。
【００５０】
第２ＩＦ１２は、制御ユニット１０および通信ユニット３０に電力を供給する電源ユニット２０と接続されるインタフェースであり、電源ユニット２０から電力の供給を受けるためのインタフェースである。第２ＩＦ１２は、例えば、コネクタ等により実現される。第２ＩＦ１２のコネクタには、例えば、有線ケーブルが接続される。例えば、第２ＩＦ１２を介して供給された電力は、制御ユニット１０のプロセッサ等を動作させるために用いられる。
【００５１】
第３ＩＦ１３は、通信ユニット３０を介して通信する設備システムと異なる別の設備システムと通信するためのインタフェースである。例えば、通信ユニット３０を介して通信する設備システムは、スイッチ５２および５５、照明制御端末５３および５６、リレー５４および５７、ならびに、空調制御端末５８であり、当該別の設備システムは、電力計測装置５０および空調制御端末５１である。つまり、制御ユニット１０は、通信ユニット３０を介さずに直接設備システムと通信する機能も有する。第３ＩＦ１３は、例えば、通信回路およびコネクタ等により実現される。第３ＩＦ１３のコネクタには、例えば、有線ケーブルが接続される。例えば、電力計測装置５０と接続される第３ＩＦ１３の通信回路およびコネクタは、ＲＳ４８５に対応したものとなっている。また、例えば、空調制御端末５１と接続される第３ＩＦ１３の通信回路およびコネクタは、ＲＳ２３２Ｃに対応したものとなっている。なお、複数の第３ＩＦ１３ａ〜１３ｎには、その他の通信規格に対応したインタフェースが含まれていてもよい。
【００５２】
第４ＩＦ１４は、設備システムの管理を行う管理システム４０と通信するためのインタフェースである。第４ＩＦ１４は、例えば、通信回路およびコネクタ等により実現される。第４ＩＦ１４のコネクタには、例えば、有線ケーブルが接続される。例えば、第４ＩＦ１４の通信回路およびコネクタは、イーサネット（登録商標）に対応したものとなっている。第４ＩＦ１４は、その他の通信規格に対応していてもよい。
【００５３】
第５ＩＦ１５は、電源ユニット２０と通信するためのインタフェースである。第５ＩＦ１５は、例えば、通信回路およびコネクタ等により実現される。第５ＩＦ１５のコネクタには、例えば、有線ケーブルが接続される。例えば、第５ＩＦ１５は、ＳＰＩ（Ｓｅｒｉａｌ  Ｐｅｒｉｐｈｅｒａｌ  Ｉｎｔｅｒｆａｃｅ）を含み、制御ユニット１０と電源ユニット２０との間でシリアル通信が行われる。
【００５４】
なお、第１ＩＦ１１を用いた制御ユニット１０と通信ユニット３０との通信、第３ＩＦ１３を用いた制御ユニット１０と設備システムとの通信、第４ＩＦ１４を用いた制御ユニット１０と管理システム４０との通信、および、第５ＩＦ１５を用いた制御ユニット１０と電源ユニット２０との通信は、有線により行われたが、無線により行われてもよい。この場合、第１ＩＦ１１、第３ＩＦ１３、第４ＩＦ１４および第５ＩＦ１５には、アンテナが含まれていてもよい。
【００５５】
また、第１ＩＦ１１は、第１ＩＦ１１に接続される通信ユニット３０に適用された通信規格に応じて、例えば、プロセッサにより実行される制御プログラム（ソフトウェア）の書き換え等がされることで、対応可能な通信規格が変更可能なように構成されていてもよい。同じように、第３ＩＦ１３は、第３ＩＦ１３に接続される設備システムに適用された通信規格に応じて、例えば、プロセッサにより実行される制御プログラム（ソフトウェア）の書き換え等がされることで、対応可能な通信規格が変更可能なように構成されていてもよい。
【００５６】
制御部１６は、施設に設置された１以上の設備システムを制御するための機能構成要素であり、上述したように例えばプロセッサにより実現される。例えば、制御部１６は、第１ＩＦ１１を介して通信ユニット３０に接続された設備システムを制御し、第３ＩＦ１３に接続された設備システムを制御する。また、制御部１６は、電源ユニット２０または通信ユニット３０から取得した情報をメモリ１９に記憶し、メモリ１９に記憶された情報を第４ＩＦ１４を介して管理システム４０に送信する。
【００５７】
取得部１７は、制御ユニット１０に関する情報および制御ユニット１０に接続される他ユニットに関する情報の少なくとも一方を取得するための機能構成要素であり、上述したように例えばプロセッサにより実現される。制御ユニット１０に関する情報は、例えば、メモリ１９に記憶されており、取得部１７は、例えば、制御ユニット１０に関する情報をメモリ１９から取得する。また、例えば、取得部１７は、他ユニットに関する情報を他ユニットから取得する。例えば、取得部１７は、第５ＩＦ１５を介して他ユニットとして電源ユニット２０に関する情報を電源ユニット２０から取得する。また、例えば、取得部１７は、第１ＩＦ１１を介して他ユニットとして通信ユニット３０に関する情報を通信ユニット３０から取得する。取得部１７は、例えば管理システム４０等からの指示を受けた際に、他ユニットに対してこれらの情報の送信要求をすることで自発的にこれらの情報を他ユニットから取得してもよい。また、取得部１７は、他ユニットが自発的に送信したこれらの情報を取得してもよい。
【００５８】
例えば、制御ユニット１０に関する情報は、制御ユニット１０の温度に関する情報を含む。制御ユニット１０の温度に関する情報は、例えば、制御ユニット１０の筺体等の温度（実体温度）または制御ユニット１０の近傍の空間（空気）の温度である。例えば、温度センサによって温度が計測され、制御ユニット１０のメモリ１９等に記憶される。例えば、１時間等ごとに温度が計測され、記憶される。なお、制御ユニット１０が温度を計測する機能を有していてもよい。
【００５９】
例えば、制御システム１では、１つの箱等の密閉空間の中に制御ユニット１０、電源ユニット２０および通信ユニット３０がまとめられて配置される。このため、制御ユニット１０の近傍の空間と電源ユニット２０の近傍の空間とは同一の空間とみなすことができる。電源ユニット２０は、電力の生成時に発熱するため、電源ユニット２０の近傍の空間の温度は高くなり、すなわち、制御ユニット１０の近傍の空間の温度は高くなる。つまり、制御ユニット１０の近傍の空間の温度から電源ユニット２０の温度がどの程度高くなっているかを推定することができる。言い換えると、電源ユニット２０の筺体等の温度（実体温度）を計測しなくても、制御ユニット１０の近傍の空間の温度から、電源ユニット２０の温度を推定できる。
【００６０】
また、例えば、他ユニットに関する情報は、電源ユニット２０に関する情報を含む。電源ユニット２０に関する情報は、具体的には、電源ユニット２０の電圧値に関する情報、電源ユニット２０の電流値に関する情報および電源ユニット２０の温度に関する情報の少なくとも１つを含む。電源ユニット２０の電圧値に関する情報は、電源ユニット２０から制御ユニット１０または通信ユニット３０へ電力を供給するときの電圧値である。電源ユニット２０の電流値に関する情報は、電源ユニット２０と制御ユニット１０または通信ユニット３０とを接続する電力線を流れる電流値である。電源ユニット２０の温度に関する情報は、電源ユニット２０の筺体等の温度（実体温度）または電源ユニット２０の近傍の空間（空気）の温度である。例えば、後述する電源ユニット２０の測定部２３によって電圧値または電流値が計測され、トレンドログとして後述する電源ユニット２０のメモリ２４等に記憶される。また、温度センサ等によって温度が計測され、電源ユニット２０のメモリ２４等に記憶される。例えば、１時間等ごとに温度が計測され、記憶される。なお、電源ユニット２０が温度を計測する機能を有していてもよい。
【００６１】
また、例えば、電源ユニット２０に関する情報は、電源ユニット２０の寿命に関する情報を含む。電源ユニット２０の寿命は、例えば、電源ユニット２０の電圧値に関する情報、電源ユニット２０の電流値に関する情報および電源ユニット２０の温度に関する情報の少なくとも１つから推定できる。このため、電源ユニット２０の電圧値に関する情報、電源ユニット２０の電流値に関する情報または電源ユニット２０の温度に関する情報は、電源ユニット２０の寿命に関する情報であるとも言える。例えば、電圧値または電流値のトレンドログにおいて一定値を下回る頻度が多いと、電源ユニット２０が劣化しており、寿命が短いと推定できる。また、例えば、電圧値または電流値の２４時間等での平均値が一定値を下回っていると、電源ユニット２０が劣化しており、寿命が短いと推定できる。例えば、電源ユニット２０に関する情報には、電源ユニット２０の稼働時間が含まれており、電源ユニット２０の温度と稼働時間とから電源ユニット２０（具体的にはトランス）の寿命を推定できる。
【００６２】
また、例えば、他ユニットに関する情報は、通信ユニット３０が通信に使用する電流値および電圧値の少なくとも一方を含む。通信ユニット３０が通信に使用する電流値は、通信ユニット３０が通信ユニット３０に接続された設備システムと通信する際の電流値であり、通信ユニット３０に接続される設備システムの数が増えるほど大きくなる。通信ユニット３０が通信に使用する電圧値は、例えば、通信ユニット３０が電圧の変化を用いた通信方式により設備システムと通信を行う際の電圧のＨｉｇｈレベルの値である。
【００６３】
また、例えば、制御ユニット１０に関する情報および他ユニットに関する情報の少なくとも一方は、制御ユニット１０の異常に関する情報および他ユニットの異常に関する情報の少なくとも一方を含む。
【００６４】
例えば、制御ユニット１０の異常に関する情報は、制御ユニット１０の制御基板の交換推奨時期、制御ユニット１０のメモリ１９（具体的にはＳＲＡＭ）用もしくはリアルタイムクロック用の電池の交換推奨時期、制御ユニット１０のプログラムのリセット回数、制御ユニット１０のシステムの起動履歴またはタスクの異常停止履歴を含む。なお、交換推奨時期は、当該時期に近づくと制御ユニット１０または制御ユニット１０の構成要素が異常となるおそれがあることから、制御ユニット１０の異常に関する情報に含まれる。
【００６５】
例えば、他ユニットの異常に関する情報は、電源ユニット２０、外部メモリ、アナンシェータ、ユーザマンマシンＰＣ（Ｐｅｒｓｏｎａｌ  Ｃｏｍｐｕｔｅｒ）またはＨＵＢ等の交換推奨時期を含む。なお、交換推奨時期は、当該時期に近づくとこれらの機器が異常となるおそれがあることから、他ユニットの異常に関する情報に含まれる。
【００６６】
例えば、他ユニットの異常に関する情報は、通信ユニット３０が通信に使用する電流値または電圧値から推定される通信ユニット３０の異常を示す情報を含む。例えば、通信ユニット３０が通信に使用する電流値または電圧値が規定値から外れている場合等には、通信ユニット３０に異常があると推定できる。また、他ユニットに関する情報は、通信ユニット３０が通信に使用する電流値または電圧値から推定される、通信ユニット３０と設備システムとを接続する伝送線の異常を示す情報を含む。例えば、通信ユニット３０が通信に使用する電流値または電圧値が０または異常に大きい場合等には、伝送線に途絶または短絡があると推定できる。
【００６７】
また、制御ユニット１０の異常に関する情報および他ユニットの異常に関する情報の少なくとも一方は、異常から復旧したことを示す復旧済みの情報を含む。例えば、復旧済みの情報には、異常から復旧された時刻、または、１週間、１ヵ月もしくは１年等の単位時間当たりの復旧の頻度（言い換えると異常の頻度）等が含まれる。
【００６８】
また、メモリ１９には、制御システム１において用いられる制御ユニット１０、電源ユニット２０、通信ユニット３０およびその他の機器について、それぞれの交換推奨時期を示す情報が記憶される。交換推奨時期は、例えば、通常の使用をした場合にメーカーが推奨する交換時期である。例えば、その他の機器の交換推奨時期として、上述したように、外部メモリ、アナンシェータ、ユーザマンマシンＰＣまたはＨＵＢ等の交換推奨時期が記憶される。例えば、制御ユニット１０、電源ユニット２０、通信ユニット３０およびその他の機器のいずれかが交換されたときに、メモリ１９に記憶された交換推奨時期のうち交換されたユニットまたはその他の機器に対応する交換推奨時期が更新される。
【００６９】
出力部１８は、取得部１７が取得した情報を報知または所定の出力先に出力するための機能構成要素であり、上述したように例えばプロセッサにより実現される。なお、報知とは、例えばアラート通知であり、ディスプレイ等に表示されたり、スピーカ等から音声等で出力されたりすることで行われる。また、所定の出力先は、例えば管理システム４０であり、出力部１８は、取得部１７が取得した情報を第４ＩＦ１４を介して管理システム４０に出力（送信）する。また、出力部１８は、取得部１７が取得した情報を所定の出力先としてタブレットまたはスマートフォン等の携帯端末に出力（送信）してもよい。また、出力部１８は、取得部１７が取得した情報の出力のためにメールを用いてもよい。なお、制御ユニット１０は、例えば７セグメントディスプレイ等のディスプレイを備えていてもよく、出力部１８は、取得部１７が取得した情報を所定の出力先として当該ディスプレイに出力してもよい。出力部１８は、取得部１７が取得した情報として生データ（未加工データ）をそのまま所定の出力先に出力してもよいし、加工することで機器の交換を促すようなアラート通知をしてもよい。
【００７０】
例えば、出力部１８は、制御ユニット１０の異常に関する情報または他ユニットの異常に関する情報として、制御ユニット１０の制御基板、制御ユニット１０のメモリ１９用もしくはリアルタイムクロック用の電池、電源ユニット２０、外部メモリ、アナンシェータ、ユーザマンマシンＰＣ（Ｐｅｒｓｏｎａｌ  Ｃｏｍｐｕｔｅｒ）またはＨＵＢ等の交換推奨時期に基づいた報知をする。具体的には、出力部１８は、これらの交換推奨時期に基づいて交換推奨時期が近付いているユニットまたは機器の交換を促すアラート通知を行う。
【００７１】
また、例えば、出力部１８は、電源ユニット２０の温度に関する情報または制御ユニット１０の温度に関する情報（具体的には制御ユニット１０の近傍の空間の温度）に基づいて電源ユニット２０の寿命を推定し、電源ユニット２０の交換を促すアラート通知を行う。また、例えば、出力部１８は、電源ユニット２０の電圧値に関する情報または電流値に関する情報に基づいて電源ユニット２０の寿命を推定し、電源ユニット２０の交換を促すアラート通知を行う。なお、出力部１８は、電源ユニット２０の温度に関する情報もしくは制御ユニット１０の温度に関する情報（具体的には制御ユニット１０の近傍の空間の温度）、または、電源ユニット２０の電圧値に関する情報もしくは電流値に関する情報をそのまま所定の出力先に出力してもよい。この場合、出力された情報を施設の管理者等が確認して、電源ユニット２０の寿命等の推定を施設の管理者等が行ってもよく、施設の管理者等が機器の交換をするか否かを判断してもよい。
【００７２】
また、例えば、詳細は後述するが、通信ユニット３０が通信に使用する電流値から、通信ユニット３０にさらに接続可能な設備システムの数を推定できるため、出力部１８は、通信ユニット３０が通信に使用する電流値に基づいて通信ユニット３０にさらに接続可能な設備システムの数を推定し、推定した当該数を示す情報を所定の出力先に出力してもよい。なお、出力部１８は、通信ユニット３０が通信に使用する電流値をそのまま所定の出力先に出力してもよい。この場合、出力された情報を施設の管理者等が確認して、通信ユニット３０にさらに接続可能な設備システムの数の推定を施設の管理者等が行ってもよい。
【００７３】
また、例えば、出力部１８は、通信ユニット３０が通信に使用する電圧値または電流値に基づいて通信ユニット３０または伝送線の異常を推定し、推定した異常を示す情報を所定の出力先に出力してもよい。なお、出力部１８は、通信ユニット３０が通信に使用する電圧値または電流値をそのまま所定の出力先に出力してもよい。この場合、出力された情報を施設の管理者等が確認して、通信ユニット３０または伝送線の異常の推定を施設の管理者等が行ってもよい。
【００７４】
また、例えば、出力部１８は、制御ユニット１０のプログラムのリセット回数、制御ユニット１０のシステムの起動履歴またはタスクの異常停止履歴を所定の出力先に出力してもよい。これにより、施設の管理者等は、不具合も分析を行うことができる。
【００７５】
また、例えば、出力部１８は、異常から復旧したことを示す復旧済みの情報を所定の出力先に出力してもよい。復旧済みの情報から、施設の管理者等は、例えば異常の発生および復旧の推移を確認でき、異常の再発防止等のための対策を立てることができる。
【００７６】
［電源ユニットの構成］
次に、電源ユニット２０の構成について、図３を用いて説明する。
【００７７】
図３は、実施の形態に係る電源ユニット２０の一例を示す構成図である。
【００７８】
電源ユニット２０は、電源ＩＦ、通信ＩＦ２２、測定部２３およびメモリ２４を備える。本実施の形態では、電源ユニット２０は、複数の電源ＩＦ２１ａ〜２１ｎを備える。なお、電源ユニット２０が備える電源ＩＦを総称して電源ＩＦ２１とも呼ぶ。
【００７９】
電源ユニット２０は、プロセッサ（マイクロプロセッサ）、メモリ２４、通信用または電力供給用のインタフェースとして電源ＩＦ２１および通信ＩＦ２２を含むコンピュータである。メモリ２４は、ＲＯＭ、ＲＡＭ等であり、プロセッサにより実行される制御プログラム（コンピュータプログラム）を記憶することができる。なお、電源ユニット２０は、１つのメモリを有していてもよく、また、複数のメモリを有していてもよく、ここでは、１つまたは複数のメモリをメモリ２４として示している。
【００８０】
プロセッサが制御プログラムに従って動作することにより、プロセッサが有する機能構成要素である測定部２３が実現される。また、プロセッサが制御プログラムに従って動作することにより、通信ＩＦ２２を制御する処理が行われる。
【００８１】
電源ＩＦ２１は、制御ユニット１０および通信ユニット３０に電力を供給するためのインタフェースである。電源ＩＦ２１は、例えば、コネクタ等により実現される。電源ＩＦ２１のコネクタには、例えば、有線ケーブルが接続される。電源ユニット２０が複数の電源ＩＦ２１ａ〜２１ｎを備えていることで、上述したように、制御ユニット１０および通信ユニット３０ａ〜３０ｃへそれぞれ異なる電力線（例えば有線ケーブル）を介して、電力を供給することができる。
【００８２】
通信ＩＦ２２は、制御ユニット１０との通信のためのインタフェースである。通信ＩＦ２２は、例えば、通信回路およびコネクタ等により実現される。通信ＩＦ２２のコネクタには、例えば、一端が制御ユニット１０の第５ＩＦ１５に接続される有線ケーブルが接続される。
【００８３】
なお、通信ＩＦ２２を用いた制御ユニット１０と電源ユニット２０との通信は、有線により行われたが、無線により行われてもよい。この場合、通信ＩＦ２２には、アンテナが含まれていてもよい。
【００８４】
測定部２３は、電源ユニット２０の電圧値または電流値を例えば電圧検出回路または電流検出回路を用いて測定する。例えば、測定部２３は、測定した電圧値または電流値を、通信ＩＦ２２を介して逐次制御ユニット１０に送信する。なお、測定部２３は、測定した電圧値または電流値をいったんメモリ２４に記憶し、特定の期間における電圧値または電流値の推移を制御ユニット１０に送信してもよい。
【００８５】
［通信ユニットの構成］
次に、通信ユニット３０の構成について、図４を用いて説明する。
【００８６】
図４は、実施の形態に係る通信ユニット３０の一例を示す構成図である。
【００８７】
通信ユニット３０は、第１通信ＩＦ３１、第２通信ＩＦ３２、電源ＩＦ３３、測定部３４およびメモリ３５を備える。
【００８８】
通信ユニット３０は、プロセッサ（マイクロプロセッサ）、メモリ３５、通信用または電力供給用のインタフェースとして第１通信ＩＦ３１、第２通信ＩＦ３２および電源ＩＦ３３を含むコンピュータである。メモリ３５は、ＲＯＭ、ＲＡＭ等であり、プロセッサにより実行される制御プログラム（コンピュータプログラム）を記憶することができる。なお、通信ユニット３０は、１つのメモリを有していてもよく、また、複数のメモリを有していてもよく、ここでは、１つまたは複数のメモリをメモリ３５として示している。
【００８９】
プロセッサが制御プログラムに従って動作することにより、プロセッサが有する機能構成要素である測定部３４が実現される。また、プロセッサが制御プログラムに従って動作することにより、各インタフェース（第１通信ＩＦ３１、第２通信ＩＦ３２および電源ＩＦ３３）を制御する処理が行われる。
【００９０】
第１通信ＩＦ３１は、制御ユニット１０との通信のためのインタフェースである。第１通信ＩＦ３１は、例えば、通信回路およびコネクタ等により実現される。第１通信ＩＦ３１のコネクタには、例えば、一端が制御ユニット１０の第１ＩＦ１１に接続される有線ケーブルが接続される。
【００９１】
第２通信ＩＦ３２は、設備システムとの通信のためのインタフェースである。第２通信ＩＦ３２は、例えば、通信回路およびコネクタ等により実現される。第２通信ＩＦ３２のコネクタには、例えば、設備システムに接続される有線ケーブルが接続される。
【００９２】
電源ＩＦ３３は、電源ユニット２０から電力の供給を受けるためのインタフェースである。電源ＩＦ３３は、例えば、コネクタ等により実現される。電源ＩＦ３３のコネクタには、例えば、一端が電源ユニット２０の電源ＩＦ２１に接続される有線ケーブルが接続される。例えば、電源ＩＦ３３を介して供給された電力は、通信ユニット３０のプロセッサ等を動作させるために用いられる。
【００９３】
なお、第１通信ＩＦ３１を用いた制御ユニット１０と通信ユニット３０との通信、第２通信ＩＦ３２を用いた通信ユニット３０と設備システムとの通信は、有線により行われたが、無線により行われてもよい。この場合、第１通信ＩＦ３１および第２通信ＩＦ３２には、アンテナが含まれていてもよい。
【００９４】
測定部３４は、通信ユニット３０が通信に使用する電流値または電圧値を例えば電圧検出回路または電流検出回路を用いて測定する。例えば、測定部３４は、測定した電流値または電圧値を、第１通信ＩＦ３１を介して逐次制御ユニット１０に送信する。なお、測定部３４は、測定した電流値または電圧値をいったんメモリ３５に記憶し、特定の期間における電流値または電圧値の推移を制御ユニット１０に送信してもよい。
【００９５】
［出力例］
次に、取得部１７が取得したユニットに関する情報（制御ユニット１０に関する情報または他ユニットに関する情報）の出力例について、図５を用いて説明する。
【００９６】
図５は、ユニットに関する情報の出力例を示す図である。図５には、管理システム４０が有するディスプレイを示している。
【００９７】
例えば、ユニットに関する情報は、図５に示されるように、管理システム４０が有するディスプレイに表示される。なお、上述したように、ユニットに関する情報は、タブレットもしくはスマートフォン等の携帯端末、制御ユニット１０が備えるディスプレイ等に出力されてもよく、ユニットに関する情報の出力先は特に限定されない。
【００９８】
ユニットに関する情報として出力される内容についても、ユニットに関するものであれば特に限定されない。
【００９９】
例えば、図５には、推定された電源ユニット２０の寿命が短かったことから、ユニットに関する情報として電源ユニット２０の交換を促すことを示す情報が出力された例が示されている。例えば、制御ユニット１０のメモリ１９に記憶された交換推奨時期前であっても、推定された寿命が短い場合にはこのような交換を促すことを示す情報が出力される。ユニットの使用環境等によっては、交換推奨時期前に寿命が来ることがあるためである。なお、例えば、推定された寿命が長い場合であっても、交換推奨時期が近づいている場合にはこのような交換を促すことを示す情報が出力される。また、例えば、単に推定された寿命を示す情報が出力されてもよい。
【０１００】
また、各ユニットに異常があり、メンテナンスを促すことを示す情報が出力されてもよいし、単に異常があることを示す情報が出力されてもよい。さらには、制御ユニット１０もしくは電源ユニット２０の温度、電源ユニット２０の電圧値もしくは電流値、または、通信ユニット３０が通信に使用する電流値もしくは電圧値がそのまま出力されてもよい。この場合、出力されたこれらの情報を施設の管理者等が確認して、各ユニットの寿命または異常等の推定を施設の管理者等が行ってもよい。
【０１０１】
例えば、報知（アラート通知）がされる項目について、項目ごとにアラート通知をするかしないかを設定できるようにされていてもよい。また、アラート通知がされる際に、当該アラートの対応に必要な情報（例えばメンテナンス業者の連絡先、契約番号または会員サイトのＵＲＬ（Ｕｎｉｆｏｒｍ  Ｒｅｓｏｕｒｃｅ  Ｌｏｃａｔｏｒ））等が出力されてもよい。
【０１０２】
［効果等］
以上説明したように、制御ユニット１０は、施設に設置された１以上の設備システムを制御する制御部１６と、制御ユニット１０に関する情報および制御ユニット１０に接続される他ユニットに関する情報の少なくとも一方を取得する取得部１７と、取得部１７が取得した情報を報知または所定の出力先に出力する出力部１８と、を備える。
【０１０３】
これによれば、施設に設置された設備システムの制御のためのユニットとして、制御ユニット１０または電源ユニット２０、通信ユニット３０もしくはその他の機器等の他のユニットに関する情報が報知または所定の出力先に出力されるため、施設の管理者等は、報知により、または当該所定の出力先を介して、施設に設置された設備システムの制御のためのユニットに関する情報を確認できる。これにより、制御ユニット１０および他ユニットを用いて制御される設備システムの運用の円滑を図ることができる。
【０１０４】
また、取得部１７は、他ユニットに関する情報を他ユニットから取得してもよい。
【０１０５】
これによれば、制御システム１における他ユニットの遠隔監視が可能となる。
【０１０６】
また、制御ユニット１０に関する情報は、制御ユニット１０の温度に関する情報を含んでいてもよい。
【０１０７】
これによれば、制御ユニット１０の温度に関する情報から、他ユニット（具体的には電源ユニット２０）の寿命を推定できる。電源ユニット２０の寿命と温度とは相関があるためである。具体的には、制御ユニット１０の温度が高いほど、電源ユニット２０の温度が高くなっており、電源ユニット２０の寿命は短い傾向にある。例えば、寿命により電力供給ができなくなる前に電源ユニット２０を交換できる。
【０１０８】
また、他ユニットは、制御ユニット１０に電力を供給する電源ユニット２０を含み、他ユニットに関する情報は、電源ユニット２０に関する情報を含んでいてもよい。具体的には、電源ユニット２０に関する情報は、電源ユニット２０の電圧値に関する情報、電源ユニット２０の電流値に関する情報および電源ユニット２０の温度に関する情報の少なくとも１つを含んでいてもよい。より具体的には、電源ユニットに関する情報は、電源ユニットの寿命に関する情報を含んでいてもよい。
【０１０９】
これによれば、電源ユニット２０の温度、電圧値または電流値から、電源ユニット２０の寿命を推定できる。電源ユニット２０の寿命と電源ユニット２０の温度、電圧値または電流値とは相関があるためである。具体的には、電圧値または電流値が一定値を下回る頻度が多い場合や、電圧値または電流値の特定の期間における平均値が一定値を下回る場合には、電源ユニット２０が劣化しており、つまり、寿命が短いと推定できる。また、電源ユニット２０の温度と稼働時間とから電源ユニット２０（具体的にはトランス）の寿命を推定できる。例えば、電源ユニット２０の寿命により電源ユニット２０から制御ユニット１０への電力供給ができなくなる前に、すなわち、設備システムの制御ができなくなる前に電源ユニット２０を交換できる。
【０１１０】
また、他ユニットは、設備システムの通信を制御する通信ユニット３０を含み、他ユニットに関する情報は、通信ユニット３０が通信に使用する電流値および電圧値の少なくとも一方を含んでいてもよい。
【０１１１】
これによれば、通信ユニット３０が通信に使用する電圧値または電流値から、通信ユニット３０の異常を推定できる。具体的には、当該電圧値または当該電流値が所定の値からずれている場合に通信ユニット３０に異常があると推定できる。
【０１１２】
また、１つの通信ユニット３０が通信に使用できる電流の最大値は決まっており、通信ユニット３０に接続される設備システムの数が多くなるほど通信に使用する電流値は大きくなることから、通信ユニット３０に接続可能な設備システムの最大数には限度がある。つまり、通信ユニット３０に接続されている設備システムの数が多くなるほど、通信に使用する電流値は大きくなり（言い換えると、最大値に近くなり）、通信ユニット３０にさらに接続可能な設備システムの数は少なくなる。したがって、通信ユニット３０が通信に使用する電流値から、通信ユニット３０にさらに接続可能な設備システムの数を推定できる。
【０１１３】
また、制御ユニット１０に関する情報および他ユニットに関する情報の少なくとも一方は、制御ユニット１０の異常に関する情報および他ユニットの異常に関する情報の少なくとも一方を含んでいてもよい。
【０１１４】
これによれば、施設に設置された設備システムの制御のための制御ユニット１０または他ユニットの異常を確認できる。例えば、制御ユニット１０の制御基板、制御ユニット１０のメモリ１９用もしくはリアルタイムクロック用の電池、電源ユニット２０、通信ユニット３０、外部メモリ、アナンシェータ、ユーザマンマシンＰＣまたはＨＵＢ等の異常を確認できる。これにより、これらのユニットまたは機器の修理または交換を早急に行うことができる。
【０１１５】
また、制御ユニット１０の異常に関する情報および他ユニットの異常に関する情報の少なくとも一方は、異常から復旧したことを示す復旧済みの情報を含んでいてもよい。
【０１１６】
これによれば、復旧済みの情報から、例えば異常の発生および復旧の推移を確認でき、異常の再発防止等のための対策を立てることができる。
【０１１７】
また、制御システム１は、制御ユニット１０と、設備システムの通信を制御する通信ユニット３０と、制御ユニット１０に電力を供給する電源ユニット２０と、を備える。
【０１１８】
これによれば、施設に設置された設備システムの制御のためのユニットに関する情報を確認できる制御システム１を提供できる。
【０１１９】
（その他の実施の形態）
以上、実施の形態に係る制御ユニット１０および制御システム１について説明したが、本発明は、上記実施の形態に限定されるものではない。
【０１２０】
例えば、上記実施の形態では、取得部１７は、他ユニットに関する情報を他ユニットから取得したが、必ずしも当該情報を他ユニットから取得しなくてもよい。例えば、他ユニットに関する情報は、メモリ１９に記憶されており、取得部１７は、他ユニットに関する情報をメモリ１９から取得してもよい。
【０１２１】
また、例えば、上記実施の形態では、制御ユニット１０に関する情報は、制御ユニット１０の温度に関する情報を含んでいたが、含んでいなくてもよい。
【０１２２】
また、例えば、上記実施の形態では、他ユニットに関する情報は、電源ユニット２０に関する情報を含んでいたが、含んでいなくてもよい。
【０１２３】
また、例えば、上記実施の形態では、電源ユニット２０に関する情報は、電源ユニット２０の電圧値に関する情報、電源ユニット２０の電流値に関する情報および電源ユニット２０の温度に関する情報の少なくとも１つを含んでいたが、含んでいなくてもよい。
【０１２４】
また、例えば、上記実施の形態では、電源ユニット２０に関する情報は、電源ユニット２０の寿命に関する情報を含んでいたが、含んでいなくてもよい。
【０１２５】
また、例えば、上記実施の形態では、他ユニットに関する情報は、通信ユニット３０が通信に使用する電流値および電圧値の少なくとも一方を含んでいたが、含んでいなくてもよい。
【０１２６】
また、例えば、上記実施の形態では、制御ユニット１０に関する情報および他ユニットに関する情報の少なくとも一方は、制御ユニット１０の異常に関する情報および他ユニットの異常に関する情報の少なくとも一方を含んでいたが、含んでいなくてもよい。
【０１２７】
また、例えば、上記実施の形態では、制御ユニット１０の異常に関する情報および他ユニットの異常に関する情報の少なくとも一方は、異常から復旧したことを示す復旧済みの情報を含んでいたが、含んでいなくてもよい。
【０１２８】
また、例えば、上記実施の形態では、制御システム１は、制御ユニット１０、電源ユニット２０および通信ユニット３０を備えたが、これに限らない。例えば、制御システム１は、制御ユニット１０と、電源ユニット２０と、を備え、通信ユニット３０を備えていなくてもよい。また、例えば、制御システム１は、制御ユニット１０と、通信ユニット３０と、を備え、電源ユニット２０を備えていなくてもよい。
【０１２９】
また、例えば、上記実施の形態では、通信ユニット３０は、制御ユニット１０を介さずに電源ユニット２０から電力供給を受けるように構成されていたが、制御ユニット１０を介して電源ユニット２０から電力供給を受けるように構成されていてもよい。
【０１３０】
また、例えば、上記実施の形態では、スイッチ５２および５５は、照明器具のオン、オフまたは調光制御等に用いられたが、空調機器のオン、オフまたは設定温度の変更等に用いられてもよい。
【０１３１】
また、本発明は、制御ユニット１０および制御システム１として実現できるだけでなく、制御ユニット１０および制御システム１を構成する各構成要素が行うステップ（処理）を含む通知方法として実現できる。
【０１３２】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【０１３３】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【０１３４】
また、上記実施の形態の制御ユニット１０および制御システム１に含まれる各構成要素は、専用または汎用の回路として実現されてもよい。
【０１３５】
また、上記実施の形態の制御ユニット１０および制御システム１に含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【０１３６】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【０１３７】
さらに、半導体技術の進歩または派生する別技術によりＬＳＩに置き換わる集積回路化の技術が登場すれば、当然、その技術を用いて、制御ユニット１０および制御システム１に含まれる各構成要素の集積回路化が行われてもよい。
【０１３８】
その他、実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【０１３９】
１  制御システム
１０  制御ユニット
１６  制御部
１７  取得部
１８  出力部
２０  電源ユニット
３０、３０ａ、３０ｂ、３０ｃ  通信ユニット
【図１】
2020048090.tif 000003
【図２】
2020048090.tif 000004
【図３】
2020048090.tif 000005
【図４】
2020048090.tif 000006
【図５】
2020048090.tif 000007